(57)【要約】      （修正有）【課題】構造がシンプルで製造し易く、価格が安価で、且つ、軽量であって、交互につるすことにより限られたスペースに多くの衣類等をかけられるように、ハンガーの柄の長さを調整できるハンガーを提供する。【解決手段】フック部１１Ａと肩部１２Ａの間の柄部１３Ａにおいて、柄部は、長さを変更することができる長さ調整部材を有し、長さ調整部材は、略円柱形状の第１ネジ接続部１３Ａ１と、略円筒形状の第２ネジ接続部１３Ａ２と、を備え、第１ネジ接続部は、外周面に雄ネジ部１３Ａ１ａを設けられ、第２ネジ接続部は、内周面に雌ネジ部を設けられ、第１ネジ接続部の雄ネジ部と第２ネジ接続部の雌ネジ部を螺合して、柄部の長さを変更する。【選択図】図１
0003230559.tif 000002
【実用新案登録請求の範囲】
【請求項１】
衣類をかけるハンガーであって、
フック部と肩部の間の柄部において、
前記柄部は、長さを変更することができる長さ調整部材を有し、
前記長さ調整部材は、略円柱形状の第１ネジ接続部と、略円筒形状の第２ネジ接続部と、を備え、
前記第１ネジ接続部は、外周面に雄ネジ部を設けられ、
前記第２ネジ接続部は、内周面に雌ネジ部を設けられ、
前記第１ネジ接続部の前記雄ネジ部と前記第２ネジ接続部の前記雌ネジ部を螺合して、前記柄部の長さを変更する、
ことを特徴とする、ハンガー。
【請求項２】
衣類をかけるハンガーであって、
フック部と肩部の間の柄部において、
前記柄部は、長さを変更することができる長さ調整部材を有し、
前記長さ調整部材は、略円柱形状の第１差込み接続部と、略円筒形状の第２差込み接続部と、を備え、
前記第１差込み接続部は、外周面に伸縮可能なゴム部を設けられ、
前記第１差込み接続部を前記第２差込み接続部に差込み、前記第２差込み接続部の内周面で前記ゴム部に圧力をかけながら縮小させることで位置を固定して、前記柄部の長さを変更する、
ことを特徴とする、ハンガー。
【請求項３】
衣類をかけるハンガーであって、
フック部と肩部の間の柄部において、
前記柄部は、長さを変更することができる長さ調整部材を有し、
前記長さ調整部材は、略円柱形状の第３差込み接続部と、略円筒形状の第４差込み接続部と、を備え、
前記第３差込み接続部は、外周面に略リング形状の凸部を設けられ、
前記第４差込み接続部は、円筒を貫通するピン形状の留め部を備え、
前記第３差込み接続部を前記第４差込み接続部に差込み、前記留め部で前記凸部の上面に配置することで位置を固定して、前記柄部の長さを変更する、
ことを特徴とする、ハンガー。
【請求項４】
衣類をかけるハンガーであって、
フック部と肩部の間の柄部において、
前記柄部は、長さを変更することができる長さ調整部材を有し、
前記長さ調整部材は、略円柱形状の第５差込み接続部と、略円筒形状の第６差込み接続部と、を備え、
前記第５差込み接続部は、外周面に略溝形状の凹部を設けられ、
前記第６差込み接続部は、円筒を貫通するピン形状の第２留め部を備え、
前記第５差込み接続部を前記第６差込み接続部に差込み、前記第２留め部を前記凹部に配置することで位置を固定して、前記柄部の長さを変更する、
ことを特徴とする、ハンガー。
【請求項５】
衣類をかけるハンガーであって、
フック部と肩部の間の柄部において、
前記柄部は、長さを変更することができる長さ調整部材を有し、
前記長さ調整部材は、略円柱形状の第７差込み接続部と、略円筒形状の第８差込み接続部と、を備え、
前記第７差込み接続部は、直径方向に伸縮可能な棒部材が挿入され、
前記第８差込み接続部は、円筒側面に略円形の開口部を設けられ、
前記第７差込み接続部を前記第８差込み接続部に差込み、前記開口部に前記棒部材を配置して、前記柄部の長さを変更する、
ことを特徴とする、ハンガー。
【請求項６】
衣類をかけるハンガーであって、
フック部と肩部の間の柄部において、
前記柄部は、長さを変更することができる長さ調整部材を有し、
前記長さ調整部材は、略円柱形状の第９差込み接続部と、略円筒形状の第１０差込み接続部と、を備え、
前記第９差込み接続部は、外周面に伸縮可能な溝用凸部材を設けられ、
前記第１０差込み接続部は、円筒の内面に溝部を設けられ、
前記第９差込み接続部を前記第１０差込み接続部に差込み、前記溝用凸部材に圧力をかけながら縮小させて、前記第１０差込み接続部の前記溝部に該溝用凸部材を配置して、前記柄部の長さを変更する、
ことを特徴とする、ハンガー。
【考案の詳細な説明】
【技術分野】
【０００１】
本考案は、ハンガーを交互につるすことにより限られたスペースに多くのハンガーをかけられるように、ハンガーの柄（フックの下部の細長い部分）の長さを調整できるハンガーである。
【背景技術】
【０００２】
上衣や下衣などを掛けることのできるハンガーが知られている。特許文献１では、山形部分につながる水平部を含むハンガーにおいて、下段水平ほぼ中央部に配置した支え部と前後に可動する受け部を設け、受け部と支え部が可動することで前記支え部との間に小物をはさんで保持することができるよう構成されていることを特徴とするハンガーに関する技術を開示している。特許文献２では、中央部に上方に向かってフックが突設され、かつ、中央部から左右に向けて先下がりに設けられた左右一対の衣類吊持杆を有するジャケット用ハンガー部と、上記ジャケット用ハンガー部の中央部から下方に突設され、かつ前方に向けて上下揺動可能に設けられたシャフト、および、そのシャフトの下端部に連結され、ズボンが掛けられる水平杆を具備するズボン用ハンガー部とで構成されたスーツ用ハンガーであって、上記ジャケット用ハンガー部は、その左右一対の衣類吊持杆の中央部下方に上下揺動可能なフラップを有し、上記ズボン用ハンガー部には、上記フラップを略水平に回動させた際に、そのフラップの先端部が当接する上記シャフトの位置に、当該フラップの先端部が着脱自在に係合する係合凹部が設けられる、ことを特徴とするスーツ用ハンガーに関する技術を開示している。特許文献３では、掛杆およびリンク機構を備えた伸縮式衣服用ハンガーであって、前記掛杆は、吊下げユニットと、前記吊下げユニットに上端部が接続された案内棒と、を有し、前記リンク機構は、前記案内棒上に、上下方向へ摺動可能に固定されたスライドユニットと、前記案内棒の左側に配置されたものであって、前記スライドユニットに接続された第１の端部と、前記案内棒の下端に接続された第２の端部と、を有する第１の連結アームと、前記案内棒の右側に配置されたものであって、前記スライドユニットに接続された第１の端部と、前記案内棒の下端に接続された第２の端部と、を有する第２の連結アームと、を備え、前記リンク機構は、前記スライドユニットが前記案内棒に対応した第１の位置にあるときに収納状態となり、前記スライドユニットが前記案内棒に対応した第２の位置にあるときに衣服を吊下げることが可能な展開状態となること、を特徴とする伸縮式衣服用ハンガーに関する技術を開示している。
【先行技術文献】
【特許文献】
【０００３】
【特許文献１】特開２０２０−１５７０２９号公報
【特許文献２】特開２０２０−１３０９９２号公報
【特許文献３】登録実用新案公報第３１４５４９３号
【考案の概要】
【考案が解決しようとする課題】
【０００４】
ハンガー（衣類等）を複数並べてかけると、ハンガーの肩（衣類等の肩の部分）が嵩張ってしまう場合がある。本考案は、構造がシンプルで製造し易く、価格が安価で、且つ、軽量のハンガーであって、交互につるすことにより限られたスペースに多くのハンガー（衣類等）をかけられるように、ハンガーの柄（フックの下部の細長い部分）の長さを調整できるハンガーを提供することを目的とする。
【課題を解決するための手段】
【０００５】
上記課題を解決するために、本考案の一つの実施形態は、衣類をかけるハンガーであって、フック部と肩部の間の柄部において、前記柄部は、長さを変更することができる長さ調整部材を有し、前記長さ調整部材は、略円柱形状の第１ネジ接続部と、略円筒形状の第２ネジ接続部と、を備え、前記第１ネジ接続部は、外周面に雄ネジ部を設けられ、前記第２ネジ接続部は、内周面に雌ネジ部を設けられ、前記第１ネジ接続部の前記雄ネジ部と前記第２ネジ接続部の前記雌ネジ部を螺合して、前記柄部の長さを変更する、ことを特徴とする、ハンガーを提供する。
【０００６】
本考案の他の実施形態は、衣類をかけるハンガーであって、フック部と肩部の間の柄部において、前記柄部は、長さを変更することができる長さ調整部材を有し、前記長さ調整部材は、略円柱形状の第１差込み接続部と、略円筒形状の第２差込み接続部と、を備え、前記第１差込み接続部は、外周面に伸縮可能なゴム部を設けられ、前記第１差込み接続部を前記第２差込み接続部に差込み、前記第２差込み接続部の内周面で前記ゴム部に圧力をかけながら縮小させることで位置を固定して、前記柄部の長さを変更する、ことを特徴とする、ハンガーであってもよい。
【０００７】
本考案の他の実施形態は、衣類をかけるハンガーであって、フック部と肩部の間の柄部において、前記柄部は、長さを変更することができる長さ調整部材を有し、前記長さ調整部材は、略円柱形状の第３差込み接続部と、略円筒形状の第４差込み接続部と、を備え、前記第３差込み接続部は、外周面に略リング形状の凸部を設けられ、前記第４差込み接続部は、円筒を貫通するピン形状の留め部を備え、前記第３差込み接続部を前記第４差込み接続部に差込み、前記留め部で前記凸部の上面に配置することで位置を固定して、前記柄部の長さを変更する、ことを特徴とする、ハンガーであってもよい。
【０００８】
本考案の他の実施形態は、衣類をかけるハンガーであって、フック部と肩部の間の柄部において、前記柄部は、長さを変更することができる長さ調整部材を有し、前記長さ調整部材は、略円柱形状の第５差込み接続部と、略円筒形状の第６差込み接続部と、を備え、前記第５差込み接続部は、外周面に略溝形状の凹部を設けられ、前記第６差込み接続部は、円筒を貫通するピン形状の第２留め部を備え、前記第５差込み接続部を前記第６差込み接続部に差込み、前記第２留め部を前記凹部に配置することで位置を固定して、前記柄部の長さを変更する、ことを特徴とする、ハンガーであってもよい。本考案の他の実施形態は、衣類をかけるハンガーであって、フック部と肩部の間の柄部において、前記柄部は、長さを変更することができる長さ調整部材を有し、前記長さ調整部材は、略円柱形状の第７差込み接続部と、略円筒形状の第８差込み接続部と、を備え、前記第７差込み接続部は、直径方向に伸縮可能な棒部材が挿入され、前記第８差込み接続部は、円筒側面に略円形の開口部を設けられ、前記第７差込み接続部を前記第８差込み接続部に差込み、前記開口部に前記棒部材を配置して、前記柄部の長さを変更する、ことを特徴とする、ハンガーであってもよい。本考案の他の実施形態は、衣類をかけるハンガーであって、フック部と肩部の間の柄部において、前記柄部は、長さを変更することができる長さ調整部材を有し、前記長さ調整部材は、略円柱形状の第９差込み接続部と、略円筒形状の第１０差込み接続部と、を備え、前記第９差込み接続部は、外周面に伸縮可能な溝用凸部材を設けられ、前記第１０差込み接続部は、円筒の内面に溝部を設けられ、前記第９差込み接続部を前記第１０差込み接続部に差込み、前記溝用凸部材に圧力をかけながら縮小させて、前記第１０差込み接続部の前記溝部に該溝用凸部材を配置して、前記柄部の長さを変更する、ことを特徴とする、ハンガーであってもよい。
【考案の効果】
【０００９】
本考案に係るハンガーによれば、構造がシンプルで製造し易く、価格が安価で、且つ、軽量のハンガーであって、交互につるすことにより限られたスペースに多くのハンガー（衣類等）をかけられるように、ハンガーの柄（フックの下部の細長い部分）の長さを調整できるハンガーを提供することができる。
【図面の簡単な説明】
【００１０】
【図１】本考案の実施形態に係るハンガー１００Ａの一例（第１の実施形態）を説明する説明図である。
【図２】本考案の実施形態に係るハンガー１００Ｂの一例（第２の実施形態）を説明する説明図である。
【図３】本考案の実施形態に係るハンガー１００Ｂの一例（第２の実施形態）を説明する説明図である。
【図４】本考案の実施形態に係るハンガー１００Ｃの一例（第３の実施形態）を説明する説明図である。
【図５】本考案の実施形態に係るハンガー１００Ｃの一例（第３の実施形態）を説明する説明図である。
【図６】本考案の実施形態に係るハンガー１００Ｄの一例（第４の実施形態）を説明する説明図である。
【図７】本考案の実施形態に係るハンガー１００Ｄの一例（第４の実施形態）を説明する説明図である。
【図８】本考案の実施形態に係るハンガー１００Ｅの一例（第５の実施形態）を説明する説明図である。
【図９】本考案の実施形態に係るハンガー１００Ｆの一例（第６の実施形態）を説明する説明図である。
【考案を実施するための形態】
【００１１】
実施形態に係るハンガーの例を用いて、本考案を説明する。なお、本考案は、以後に説明するハンガー以外でも、衣類等をかけるためのもの（器具、装置、部品、システムなど）であれば、いずれのものにも用いることができる。なお、ハンガーの大きさは、とくに限定されず、使用するものに応じて、設計、実験、計算などで予め定められる大きさとすることができる。
【００１２】
下記にて、各構成を具体的に説明する。
１．第１の実施形態（ネジ式）
２．第２の実施形態（ゴム留め式）
３．第３の実施形態（凸留め式）
４．第４の実施形態（凹留め式）
５．第５の実施形態（開口部付き留め式）
６．第６の実施形態（溝部付き留め式）
【００１３】
図１乃至図９を用いて、本考案の実施形態に係るハンガーの構成を説明する。ここで、図１（ａ）は、本考案の実施形態（第１の実施形態）に係るハンガー１００Ａの例（柄を短くした場合）を説明する説明図である。図１（ｂ）は、本考案の実施形態（第１の実施形態）に係るハンガー１００Ａの例（柄を長くした場合）を説明する説明図である。図２（ａ）は、本考案の実施形態（第２の実施形態）に係るハンガー１００Ｂの例（柄を短くした場合）を説明する説明図である。図２（ｂ）は、本考案の実施形態（第２の実施形態）に係るハンガー１００Ｂの例（柄を長くした場合）を説明する説明図である。図３（ａ）は、本考案の実施形態（第２の実施形態）に係るハンガー１００Ａの例（柄を短くした場合）で第２差込み接続部１３Ｂ２を透明にした場合の説明図である。図３（ｂ）は、本考案の実施形態（第１の実施形態）に係るハンガー１００Ａの例（柄を長くした場合）で第２差込み接続部１３Ｂ２を透明にした場合の説明図である。図４（ａ）は、本考案の実施形態（第３の実施形態）に係るハンガー１００Ｃの例（柄を短くした場合）を説明する説明図である。図４（ｂ）は、本考案の実施形態（第３の実施形態）に係るハンガー１００Ｃの例（柄を長くした場合）を説明する説明図である。図５（ａ）は、本考案の実施形態（第３の実施形態）に係るハンガー１００Ｃの例（柄を短くした場合）で第４差込み接続部１３Ｃ２を透明にした場合の説明図である。図５（ｂ）は、本考案の実施形態（第３の実施形態）に係るハンガー１００Ｃの例（柄を長くした場合）で第４差込み接続部１３Ｃ２を透明にした場合の説明図である。図６（ａ）は、本考案の実施形態（第４の実施形態）に係るハンガー１００Ｄの例（柄を短くした場合）を説明する説明図である。図６（ｂ）は、本考案の実施形態（第４の実施形態）に係るハンガー１００Ｄの例（柄を長くした場合）を説明する説明図である。図７（ａ）は、本考案の実施形態（第４の実施形態）に係るハンガー１００Ｄの例（柄を短くした場合）で第６差込み接続部１３Ｄ２を透明にした場合の説明図である。図７（ｂ）は、本考案の実施形態（第４の実施形態）に係るハンガー１００Ｄの例（柄を長くした場合）で第６差込み接続部１３Ｄ２を透明にした場合の説明図である。図８（ａ）は、本考案の実施形態（第５の実施形態）に係るハンガー１００Ｅの例（柄を短くした場合）で第７差込み接続部１３Ｅ１および第８差込み接続部１３Ｅ２を透明にした場合の説明図である。図８（ｂ）は、本考案の実施形態（第５の実施形態）に係るハンガー１００Ｅの例（柄を長くした場合）で第７差込み接続部１３Ｅ１および第８差込み接続部１３Ｅ２を透明にした場合の説明図である。図８（ｃ）は、図８（ｂ）の一部（差込みした状態）を拡大した説明図である。図８（ｄ）は、図８（ｃ）を側面方向から見た説明図である。図９（ａ）は、本考案の実施形態（第６の実施形態）に係るハンガー１００Ｆの例（柄を短くした場合）で第９差込み接続部１３Ｆ１および第１０差込み接続部１３Ｆ２を透明にした場合の説明図である。図９（ｂ）は、本考案の実施形態（第６の実施形態）に係るハンガー１００Ｆの例（柄を長くした場合）で第９差込み接続部１３Ｆ１および第１０差込み接続部１３Ｆ２を透明にした場合の説明図である。図９（ｃ）は、図９（ｂ）の一部（差込みした状態）を拡大した説明図である。なお、図１等に示すハンガーの構成等は一例であり、本考案は図１等に示すハンガー等に限定されるものではない。
【００１４】
１．第１の実施形態（ネジ式）
図１（ａ）および（ｂ）に示すように、本考案の第１の実施形態に係るハンガー１００Ａは、衣類等をかけるものである。本考案に係るハンガー１００Ａは、本実施形態では、フック部１１Ａと肩部１２Ａの間に柄部１３Ａを備える。柄部１３Ａは、長さを変更することができる長さ調整部材を有する。長さ調整部材は、略円柱形状の第１ネジ接続部１３Ａ１と、略円筒形状の第２ネジ接続部１３Ａ２と、を備える。
【００１５】
第１ネジ接続部１３Ａ１は、外周面に雄ネジ部１３Ａ１ａを設けられる。第２ネジ接続部１３Ａ２は、内周面に雌ネジ部（不図示）を設けられる。本考案に係るハンガー１００Ａは、第１ネジ接続部１３Ａ１の雄ネジ部１３Ａ１ａと第２ネジ接続部１３Ａ２の雌ネジ部を螺合して、柄部１３Ａの長さを変更することができる。
【００１６】
なお、本考案に係るハンガー１００Ａの材質、形状および大きさは、とくに限定されない。本考案に係るハンガー１００Ａの材質、形状および大きさは、使用方法（かける物）に応じて、設計、実験、計算などで予め定められる材質、形状および大きさとすることができる。また、第１ネジ接続部１３Ａ１および第２ネジ接続部１３Ａ２の長さは、使用方法（かける物）に応じて、設計、実験、計算などで予め定められる長さとすることができる。これにより、本考案に係るハンガー１００Ａによれば、柄部１３Ａの長さを変更することができるので、ハンガーの柄（フックの下部の細長い部分）の長さを容易に調整することができる。
【００１７】
２．第２の実施形態（ゴム留め式）
図２（ａ）および（ｂ）並びに図３（ａ）および（ｂ）に示すように、本考案の第２の実施形態に係るハンガー１００Ｂは、衣類等をかけるものである。本考案に係るハンガー１００Ｂは、本実施形態では、フック部１１Ｂと肩部１２Ｂの間に柄部１３Ｂを備える。柄部１３Ｂは、長さを変更することができる長さ調整部材を有する。長さ調整部材は、略円柱形状の第１差込み接続部１３Ｂ１と、略円筒形状の第２差込み接続部１３Ｂ２と、を備える。
【００１８】
第１差込み接続部１３Ｂ１は、外周面に伸縮可能なゴム部１３Ｂ１ａを設けられる。本考案に係るハンガー１００Ｂは、第１差込み接続部１３Ｂ１を第２差込み接続部１３Ｂ２に差込み、第２差込み接続部１３Ｂ２の内周面でゴム部１３Ｂ１ａに圧力をかけながら縮小させることで位置を固定して、柄部の長さを変更することができる。
【００１９】
なお、本考案に係るハンガー１００Ｂの材質、形状および大きさは、とくに限定されない。本考案に係るハンガー１００Ｂの材質、形状および大きさは、使用方法（かける物）に応じて、設計、実験、計算などで予め定められる材質、形状および大きさとすることができる。また、ゴム部１３Ｂ１ａ（第１差込み接続部１３Ｂ１）の位置および個数は、使用方法（かける物）に応じて、設計、実験、計算などで予め定められる位置および個数とすることができる。これにより、本考案に係るハンガー１００Ｂによれば、柄部１３Ｂの長さを変更することができるので、ハンガーの柄（フックの下部の細長い部分）の長さを容易に調整することができる。
【００２０】
３．第３の実施形態（凸留め式）
図４（ａ）および（ｂ）並びに図５（ａ）および（ｂ）に示すように、本考案の第３の実施形態に係るハンガー１００Ｃは、衣類等をかけるものである。本考案に係るハンガー１００Ｃは、本実施形態では、フック部１１Ｃと肩部１２Ｃの間に柄部１３Ｃを備える。柄部１３Ｃは、長さを変更することができる長さ調整部材を有する。長さ調整部材は、略円柱形状の第３差込み接続部１３Ｃ１と、略円筒形状の第４差込み接続部１３Ｃ２と、を備える。
【００２１】
第３差込み接続部１３Ｃ１は、外周面に略リング形状の凸部１３Ｃ１ａを設けられる。第４差込み接続部１３Ｃ２は、円筒を貫通するピン形状の留め部１３Ｃ２ａを備える。本考案に係るハンガー１００Ｃは、第３差込み接続部１３Ｃ１を第４差込み接続部１３Ｃ２に差込み、留め部１３Ｃ２ａで凸部１３Ｃ１ａの上面に配置することで位置を固定して、柄部１３Ｃの長さを変更することができる。
【００２２】
なお、本考案に係るハンガー１００Ｃの材質、形状および大きさは、とくに限定されない。本考案に係るハンガー１００Ｃの材質、形状および大きさは、使用方法（かける物）に応じて、設計、実験、計算などで予め定められる材質、形状および大きさとすることができる。また、凸部１３Ｃ１ａ（第３差込み接続部１３Ｃ１）の位置および個数は、使用方法（かける物）に応じて、設計、実験、計算などで予め定められる位置および個数とすることができる。これにより、本考案に係るハンガー１００Ｃによれば、柄部１３Ｃの長さを変更することができるので、ハンガーの柄（フックの下部の細長い部分）の長さを容易に調整することができる。
【００２３】
４．第４の実施形態（凹留め式）
図６（ａ）および（ｂ）並びに図７（ａ）および（ｂ）に示すように、本考案の第４の実施形態に係るハンガー１００Ｄは、衣類等をかけるものである。本考案に係るハンガー１００Ｄは、本実施形態では、フック部１１Ｄと肩部１２Ｄの間に柄部１３Ｄを備える。柄部１３Ｄは、長さを変更することができる長さ調整部材を有する。長さ調整部材は、略円柱形状の第５差込み接続部１３Ｄ１と、略円筒形状の第６差込み接続部１３Ｄ２と、を備える。
【００２４】
第５差込み接続部１３Ｄ１は、外周面に略溝形状の凹部１３Ｄ１ａを設けられる。第６差込み接続部１３Ｄ２は、円筒を貫通するピン形状の第２留め部１３Ｄ２ａを備える。本考案に係るハンガー１００Ｄは、第５差込み接続部１３Ｄ１を第６差込み接続部１３Ｄ２に差込み、第２留め部１３Ｄ２ａを凹部１３Ｄ１ａに配置することで位置を固定して、柄部１３Ｄの長さを変更することができる。
【００２５】
なお、本考案に係るハンガー１００Ｄの材質、形状および大きさは、とくに限定されない。本考案に係るハンガー１００Ｄの材質、形状および大きさは、使用方法（かける物）に応じて、設計、実験、計算などで予め定められる材質、形状および大きさとすることができる。また、凹部１３Ｄ１ａ（第５差込み接続部１３Ｄ１）の位置および個数は、使用方法（かける物）に応じて、設計、実験、計算などで予め定められる位置および個数とすることができる。これにより、本考案に係るハンガー１００Ｄによれば、柄部１３Ｄの長さを変更することができるので、ハンガーの柄（フックの下部の細長い部分）の長さを容易に調整することができる。
【００２６】
５．第５の実施形態（開口部付き留め式）
図８（ａ）乃至（ｃ）に示すように、本考案の第５の実施形態に係るハンガー１００Ｅは、本実施形態では、フック部と肩部の間に柄部に、長さを変更することができる長さ調整部材を有する。長さ調整部材は、略円柱形状の第７差込み接続部１３Ｅ１と、略円筒形状の第８差込み接続部１３Ｅ２と、を備える。
【００２７】
第７差込み接続部１３Ｅ１は、直径方向に伸縮可能な棒部材１３Ｅ１ａが挿入されている。棒部材１３Ｅ１ａは、たとえばゴム部材またはバネ部材の伸縮部材１３Ｅ１ｂによって、長手方向に伸縮することができる。第８差込み接続部１３Ｅ２は、円筒側面に略円形の開口部１３Ｅ２ａを設けられている。本考案に係るハンガー１００Ｅは、第７差込み接続部１３Ｅ１を第８差込み接続部１３Ｅ２に差込み、開口部１３Ｅ２ａに棒部材１３Ｅ１ａを配置することで位置を固定して、柄部の長さを変更することができる。
【００２８】
なお、本考案に係るハンガー１００Ｅの材質、形状および大きさは、とくに限定されない。本考案に係るハンガー１００Ｅの材質、形状および大きさは、使用方法（かける物）に応じて、設計、実験、計算などで予め定められる材質、形状および大きさとすることができる。また、棒部材１３Ｅ１ａ（第７差込み接続部１３Ｅ１）の位置および個数は、使用方法（かける物）に応じて、設計、実験、計算などで予め定められる位置および個数とすることができる。また、開口部１３Ｅ２ａ（第８差込み接続部１３Ｅ２）の位置および個数は、使用方法（かける物）に応じて、設計、実験、計算などで予め定められる位置および個数とすることができる。これにより、本考案に係るハンガー１００Ｅによれば、柄部の長さを変更することができるので、ハンガーの柄（フックの下部の細長い部分）の長さを容易に調整することができる。
【００２９】
６．第６の実施形態（溝部付き留め式）
図９（ａ）乃至（ｃ）に示すように、本考案の第６の実施形態に係るハンガー１００Ｆは、本実施形態では、フック部と肩部の間に柄部に、長さを変更することができる長さ調整部材を有する。長さ調整部材は、略円柱形状の第９差込み接続部１３Ｆ１と、略円筒形状の第１０差込み接続部１３Ｆ２と、を備える。
【００３０】
第９差込み接続部１３Ｆ１は、外周面に伸縮可能な溝用凸部材１３Ｆ１ａを設けられている。第１０差込み接続部１３Ｆ２は、円筒の内面に溝部１３Ｆ２ａを設けられている。本考案に係るハンガー１００Ｆは、第９差込み接続部１３Ｆ１を第１０差込み接続部１３Ｆ２に差込み、溝部１３Ｆ２ａに溝用凸部材１３Ｆ１ａを配置することで位置を固定して、柄部の長さを変更することができる。
【００３１】
なお、本考案に係るハンガー１００Ｆの材質、形状および大きさは、とくに限定されない。本考案に係るハンガー１００Ｆの材質、形状および大きさは、使用方法（かける物）に応じて、設計、実験、計算などで予め定められる材質、形状および大きさとすることができる。また、溝用凸部材１３Ｆ１ａ（第９差込み接続部１３Ｆ１）の位置および個数は、使用方法（かける物）に応じて、設計、実験、計算などで予め定められる位置および個数とすることができる。また、溝部１３Ｆ２ａ（第１０差込み接続部１３Ｆ２）の位置および個数は、使用方法（かける物）に応じて、設計、実験、計算などで予め定められる位置および個数とすることができる。これにより、本考案に係るハンガー１００Ｆによれば、柄部の長さを変更することができるので、ハンガーの柄（フックの下部の細長い部分）の長さを容易に調整することができる。
【００３２】
以上のとおり、本考案に係るハンガーによれば、構造がシンプルで製造し易く、価格が安価で、且つ、軽量のハンガーであって、交互につるすことにより限られたスペースに多くのハンガー（衣類等）をかけられるように、ハンガーの柄（フックの下部の細長い部分）の長さを調整することができる。また、本考案に係るハンガーによれば、ハンガーの柄（フックの下部の細長い部分）の長さを調整することができるので、ハンガーの柄の長さを変更して、衣類を上下方向にずらすことで、衣類の肩口の部分が上下方向にずれ、重ならず、より多く収納することができる。また、本考案に係るハンガーによれば、ハンガーの柄（フックの下部の細長い部分）の長さを調整することができるので、従来の長さのハンガーと、本考案に係るハンガー（柄を長くしたもの）を交互に使用することで、より多くの衣類を収納することができる。
【００３３】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００３４】
１００Ａ，１００Ｂ，１００Ｃ，１００Ｄ，１００Ｅ，１００Ｆ：ハンガー
１１Ａ，１１Ｂ，１１Ｃ，１１Ｄ  ：  フック部
１２Ａ，１２Ｂ，１２Ｃ，１２Ｄ  ：  肩部
１３Ａ，１３Ｂ，１３Ｃ，１３Ｄ  ：  柄部
１３Ａ１  ：  第１ネジ接続部
１３Ａ１ａ：  雄ネジ部
１３Ａ２  ：  第２ネジ接続部
１３Ｂ１  ：  第１差込み接続部
１３Ｂ１ａ：  ゴム部
１３Ｂ２  ：  第２差込み接続部
１３Ｃ１  ：  第３差込み接続部
１３Ｃ１ａ：  凸部
１３Ｃ２  ：  第４差込み接続部
１３Ｃ２ａ：  留め部
１３Ｄ１  ：  第５差込み接続部
１３Ｄ１ａ：  凹部
１３Ｄ２  ：  第６差込み接続部
１３Ｄ２ａ：  第２留め部
１３Ｅ１  ：  第７差込み接続部
１３Ｅ１ａ：  棒部材
１３Ｅ１ｂ：  伸縮部材
１３Ｅ２  ：  第８差込み接続部
１３Ｅ２ａ：  開口部
１３Ｆ１  ：  第９差込み接続部
１３Ｆ１ａ：  溝用凸部材
１３Ｆ２  ：  第１０差込み接続部
１３Ｆ２ａ：  溝部
【図１】
0003230559.tif 000003
【図２】
0003230559.tif 000004
【図３】
0003230559.tif 000005
【図４】
0003230559.tif 000006
【図５】
0003230559.tif 000007
【図６】
0003230559.tif 000008
【図７】
0003230559.tif 000009
【図８】
0003230559.tif 000010
【図９】
0003230559.tif 000011